(57)【要約】【課題】美観を損なうことなく暗闇の中でも確実かつ容易に位置把握が可能な防災用のロッカーを提供する。【解決手段】  底面パネルと、左側面パネルと、右側面パネルと、背面パネルと、上面パネルと、前面パネルと、を備える略直方体のロッカーであって、前記前面パネルは、上下左右のいずれか一片が上面パネル、底面パネル、左側面パネル、及び右側面パネルのいずれかと回動可能に連結され、前記連結部を回動軸として開閉可能であり、前記前面パネルは、前記回動軸の反対側に位置する把手部と、前記把手部を前記回動軸方向に挟むように配置された第１の補助パネル及び第２の補助パネルを有し、前記第１の補助パネル及び前記第２の補助パネルの少なくともいずれかが蓄光材を含む部材からなることを特徴とする。【選択図】図１
2017038928.tif 000002
【特許請求の範囲】
【請求項１】
底面パネルと、左側面パネルと、右側面パネルと、背面パネルと、上面パネルと、前面パネルと、を備える略直方体のロッカーであって、
前記前面パネルは、上下左右のいずれか一片が上面パネル、底面パネル、左側面パネル、及び右側面パネルのいずれかと回動可能に連結され、前記連結部を回動軸として開閉可能であり、
前記前面パネルは、前記回動軸の反対側に位置する把手部と、前記把手部を前記回動軸方向に挟むように配置された第１の補助パネル及び第２の補助パネルを有し、
前記第１の補助パネル及び前記第２の補助パネルの少なくともいずれかが蓄光材を含む部材からなる
ことを特徴とするロッカー。
【請求項２】
前記第１の補助パネル及び前記第２の補助パネルの双方が蓄光材を含む部材からなることを特徴とする請求項１記載のロッカー。
【請求項３】
前記蓄光材を含む部材からなるパネルは、白色樹脂に前記蓄光材を練り込んだものである
ことを特徴とする請求項１又は請求項２記載のロッカー。
【請求項４】
前記蓄光材を含む部材からなるパネルは、透明樹脂に前記蓄光材を練り込み、背面を白色に着色したものである
ことを特徴とする請求項１乃至請求項３のいずれか１項記載のロッカー。
【請求項５】
前記蓄光材を含む部材からなるパネルは複数の貫通孔を有する
ことを特徴とする請求項１乃至請求項４のいずれか１項記載のロッカー。
【請求項６】
白色樹脂に蓄光材を練り込んだ部材を含むロッカー用のパネルであって、
前記部材の背面が白色に着色されたことを特徴とするロッカー用のパネル。
【請求項７】
前記蓄光材により、文字又は記号が表示されることを特徴とする請求項６記載のロッカー用のパネル。
【請求項８】
前記部材の表面は点字用の凹凸形状を有することを特徴とする請求項６又は請求項７記載のロッカー用のパネル。
【発明の詳細な説明】
【技術分野】
【０００１】
本発明は、内部に物品を収納するためのロッカーに関し、より具体的には、災害時の避難生活や救援活動に必要な物品を収納するための防災用のロッカーに関する。
【背景技術】
【０００２】
日本は古来より多くの自然災害に見舞われてきたが、２０１１年３月１１日に発生した東日本大震災をきっかけに、人々は防災の重要性をより強く認識することとなった。防災においては事前に十分な備えをすることが重要となるため、現在、防災ロッカーの設置が政府等の各種機関より推進されている。
【０００３】
防災ロッカーとは、災害が発生した際の避難生活や救援活動において必要となる物品を予め格納・保管するためのロッカーである。水や食料のほか、毛布、懐中電灯、救急用具等が主として保存され、火災用の耐火服や空気呼吸具などが格納されることもある。
【０００４】
防災ロッカーは、その性質上、夜間や停電による暗闇の中でも容易に位置把握ができるものでなければならない。そのため、従来の防災ロッカーにおいては、一般のロッカーに蛍光材及び反射材を使用したステッカーを貼り付ける等がなされていた（特許文献１）。
【先行技術文献】
【特許文献】
【０００５】
【特許文献１】登録実用新案第３０３７４００号
【発明の概要】
【発明が解決しようとする課題】
【０００６】
しかしながら、上記の防災ロッカーは、ロッカー表面に蛍光材及び反射材を使用したステッカーを貼り付けるものであるため、美観上好ましいものではなかった。また、災害時にはかかるステッカーが予期せぬ原因により外れてしまう可能性も否定できず、その機能が保証されたものではなかった。
【０００７】
防災ロッカーの前面パネル部等に蓄光シールを貼り付けたものは美観を損なうだけでなく、経年劣化し易く、破れたり剥がれたりし易かった。特に、プラスチック製のロッカーは、金属からなるロッカーのように錆びないので、プール施設などの水がかかり易い場所で使用されることもあるが、ステッカーやシールは水に濡れることで一層剥がれ易くなったり、蓄光性能が低下したりする原因ともなっていた。
【０００８】
本発明は以上の点を考慮してなされたものであり、美観を損なうことなく暗闇の中でも確実かつ容易に位置把握が可能な防災用のロッカーを提供することを目的とする。
【課題を解決するための手段】
【０００９】
本発明にかかるロッカーは、底面パネルと、左側面パネルと、右側面パネルと、背面パネルと、上面パネルと、前面パネルと、を備える略直方体のロッカーであって、
前記前面パネルは、上下左右のいずれか一片が上面パネル、底面パネル、左側面パネル、及び右側面パネルのいずれかと回動可能に連結され、前記連結部を回動軸として開閉可能であり、
前記前面パネルは、前記回動軸の反対側に位置する把手部と、前記把手部を前記回動軸方向に挟むように配置された第１の補助パネル及び第２の補助パネルを有し、
前記第１の補助パネル及び前記第２の補助パネルの少なくともいずれかが蓄光材を含む部材からなることを特徴とする。
【００１０】
このような構成によれば、蓄光材を含むパネルが夜間や災害時の暗闇において光を発し、ロッカーの位置把握が容易になる。
【００１１】
また、上記の構成にあっては、前記第１の補助パネル及び前記第２の補助パネルの双方が蓄光材を含む部材からなってもよい。
【００１２】
このような構成によれば、夜間や災害時の暗闇において把手部の上下に設けられたパネルがともに発光するため、ロッカーの位置把握だけではなく把手部の位置把握も容易となり、暗闇の中での使い勝手が向上する。
【００１３】
また、上記の構成にあっては、前記蓄光材を含む部材からなるパネルは、白色樹脂に前記蓄光材を練り込んだものであるか、又は、透明樹脂に前記蓄光材を練り込みかつ背面を白色に着色したものであってもよい。
【００１４】
このような構成によれば、暗闇における発光性（発光強度）がより良好となり、暗闇におけるロッカーの位置把握がより容易となる。
【００１５】
また、上記の構成にあっては、前記蓄光材を含む部材からなるパネルは複数の貫通孔を有していてもよい。
【００１６】
このような構成によれば、貫通孔が形成される分だけ蓄光材の使用量を低減することができ、ロッカーを安価に製造することができる。また、ロッカー内部の通気性が確保され、衣類等を長期保存することが可能となる。さらに、発光時の意匠性を向上させることができる。
【発明の効果】
【００１７】
以上説明したように、本発明にかかる防災用ロッカーによれば、補助パネルが蓄光材を含む部材からなり、夜間や災害時の暗闇において発光するため、美観を損なうことなく暗闇の中でも確実かつ容易にロッカーの位置把握が可能となる。
【図面の簡単な説明】
【００１８】
【図１】本発明の一実施形態にかかるロッカー(閉状態)を斜め前方から撮影した写真である。
【図２】本発明の一実施形態にかかるロッカー(開状態)を斜め前方から撮影した写真である。
【図３】本発明の一実施形態にかかるロッカーを斜め後方から撮影した写真である。
【図４】本発明の一実施形態にかかるロッカーを正面から撮影した写真である。
【図５】本発明の一実施形態にかかる補助パネルと蓄光シールとを暗闇において撮影した写真である。
【発明を実施するための形態】
【００１９】
以下、図面を参照して本発明の実施形態について詳述する。但し、これらの実施形態はいずれも例示であり、本発明についての限定的解釈を与えるものではない。なお、図面において、同一又は対応する部分については同一の符号を付すものとする。
【００２０】
（第１の実施形態）
図１、図２、及び図３に示すように、本実施形態にかかる防災用のロッカー１は、底面パネル１０と、左側面パネル２０と、右側面パネル３０と、背面パネル４０と、上面パネル５０と、前面パネル６０と、を備える。それぞれのパネルは略長方形であり、これらが連結固定され、略直方体の防災用のロッカー１を構成する。
【００２１】
ここで、「略長方形」とは、完全な長方形に加えて、ロッカーの機能を発揮できる限りにおいて変更が加えられたもの、例えば一部に曲線部を有するもの等を含むという意味であり、「略直方体」についても同様とする。
【００２２】
背面パネル４０は、それぞれの辺が、底面パネル１０、左側面パネル２０、右側面パネル３０、及び上面パネル５０の１辺と連結固定されており、さらには、底面パネル１０と左側面パネル２０、左側面パネル２０と上面パネル５０、上面パネル５０と右側面パネル３０、右側面パネル３０と底面パネル１０が接触する辺において連結固定されている。
【００２３】
図４に示すように、前面パネル６０は、メインパネル６１と、把手部６２と、第１の補助パネル６３と、第２の補助パネル６４と、を有する。
【００２４】
前面パネル６０は、上下左右のいずれか一片が、上面パネル５０、底面パネル１０、左側面パネル２０、及び右側面パネル３０のいずれかと回動可能に連結され、この連結部を回動軸７０として開閉可能に設置される。把手部６２は、前面パネル６０の回動軸７０とは反対側の辺の近傍に配置され、利用者はこの部分を把持して前面パネル６０を開閉する。第１の補助パネル６３及び第２の補助パネル６４は、回動軸７０と平行な方向に把手部６２を挟むように配置される。本実施形態においては、把手部６２は前面パネル６０の左側に配置され、前面パネル６０の右側の片が回動軸７０となる。
【００２５】
なお、メインパネル６１に、把手部６２と、第１の補助パネル６３と、第２の補助パネル６４とに対応する枠を形成しておき、この枠に、把手部６２と、第１の補助パネル６３と、第２の補助パネル６４とを組み付けるようにしてもよい。このようにすることで、ロッカー１の組み立てが容易となる。
【００２６】
各パネルの材質としては、スチール、アルミニウム、銅等の金属を用いることもできるが、ＡＢＳ樹脂やＰＨ樹脂等の合成樹脂を用いることが好ましい。このようにすることで、軽量で耐久性に優れ、廃棄も容易となる。
【００２７】
また、このような樹脂のプラスチック製のロッカー１は錆びることがないため、プール施設、水を扱う工場、学校や銭湯などの水場付近での使用にも適している。
【００２８】
本実施形態における第１の補助パネル６３及び第２の補助パネル６４は蓄光材を含む部材からなる。これにより、夜間や災害時の暗闇においてこの部分が発光し、暗闇の中でもロッカー１の位置把握が容易となる。
【００２９】
図５は、本実施形態における第１の補助パネル６３及び第２の補助パネル６４と蓄光シール８０とを暗闇において撮影した写真である。暗闇の中でもロッカー１の位置把握が容易とするレベルの発光が第１の補助パネル６３及び第２の補助パネル６４によって得られることがわかる。
【００３０】
また、第１の補助パネル６３及び第２の補助パネル６４は把手部６２を挟むように配置されるため、夜間や災害時の暗闇においても把手部６２の位置把握も容易となり、暗闇の中での利便性が向上する。
【００３１】
蓄光材を含んだ部材からなる第１の補助パネル６３及び第２の補助パネル６４は、白色樹脂に蓄光材を練り込んだものであることが好ましい。蓄光材は下地が白色の場合に発光強度が最も強くなるため、このようにすることで暗闇におけるロッカー１及び把手部６２の位置把握がより容易となり、また、少量の蓄光材によっても十分な発光が行われるため、蓄光材の使用量を低減することもができる。
【００３２】
また、第１の補助パネル６３及び第２の補助パネル６４に白色樹脂を用いる代わりに、透明樹脂に蓄光材を練り込み、背面を白色に着色したものを用いることもできる。このようにしても白色樹脂を用いた場合と同等の発光強度が得られ、ロッカー１及び把手部６２の位置把握において同様の効果を奏する。なお、この場合は、透明樹脂の裏面を塗料等によって白色に着色したり、または透明樹脂の裏面に白色樹脂の薄板を貼り合わせるなどにより、背面を白色にすることができる。
【００３３】
本実施形態にかかる蓄光部を備えた防災用のロッカー１は、蛍光灯等を備えた従来の防災ロッカーと異なり、発光のために外部電源を必要としない。また、蓄光材による発光は、燐光（りんこう）と呼ばれる優しいほのかな光であるため、睡眠等を妨害する可能性が低い。そのため、本実施形態にかかる防災用のロッカー１は、従来の防災ロッカーよりも設置可能範囲を広げることができ、設置者及び利用者にとってより使いやすいものとなる。
【００３４】
また、本実施形態にかかる第１の補助パネル６３及び第２の補助パネル６４は複数の貫通孔６５を有する。蓄光材を含む第１の補助パネル６３及び第２の補助パネル６４に貫通孔６５が形成されることで、蓄光材の使用量を低減することができ、製造コストを低減することができる。また、ロッカー１の内部の通気性が確保され、衣類等の長期保存が可能となる。さらに、複数配置された貫通孔６５はロッカー１の意匠性にも寄与し、特に発光時の意匠性を向上させるができる。また、ロッカー１の内部に保存する内容物によって貫通孔６５の形成パターンを変えることで、前面パネル６０を開けることなく内容物の特定が可能となる。
【００３５】
なお、ロッカー１の内部の通気性については、必要に応じ、第１の補助パネル６３及び第２の補助パネル６４以外のパネルにも貫通孔を設けてもよい。
【００３６】
必要により、補助パネルに文字や記号、例えば、使用者名や「救命器具、災害救助用品」等の表示や避難経路を示す矢印（→）等が示されるようにしてもよい。また、補助パネルの表面に点字や凹凸のパターンが形成されていてもよい。
【００３７】
以上説明したように、本実施形態にかかる防災用のロッカー１によれば、蓄光材を含むパネルが暗闇において発光するため、暗闇の中でも容易にロッカーの位置把握が可能となる。また、蓄光テープ等を貼り付けた従来品とは異なり蓄光材を練り込んだパネルそのものが発光するものであるため、ロッカーの美観を損ねることがない。また、従来品のように蓄光テープが外れるおそれがないので、災害時においてもロッカーの確実な位置把握が可能となる。また、蓄光材は日光や蛍光灯の光を吸収し、周囲が暗くなった場合に発光するものであるため、発光に際し外部電源等を要せず、ランニングコストを必要としない。また、蓄光材による発光は、蛍光灯等の光とは異なり、優しくほのかな燐光であるため、睡眠等を妨げる可能性も少なく、様々な場所に設置が可能とある。また、発光部となる第１の補助パネル及び前記第２の補助パネルは、既存の金型を用いて製造できるため、本実施形態にかかる防災用のロッカー１を製造するに際し新たに金型を起こす必要がなく、低コストで製造できる。
【００３８】
なお、上記においては、本実施形態にかかるロッカー１を防災用途として用いることを前提に説明したが、本発明にかかるロッカーの用途はこれに限定されるものではなく、学校やスポーツ施設、その他一般にロッカーを設置可能な場所で用いることができる。また、例えば暗闇での意匠性を備えたロッカーとしても用いることが可能である。
【００３９】
また、上記の本発明にかかる実施形態の説明は、本発明の例示を目的として行ったものであるため、本発明の技術的範囲を限定するものではなく、本発明の技術的思想を逸脱しない範囲において当業者によって適宜変更等を行うことが可能である。
【符号の説明】
【００４０】
１  ロッカー
１０  底面パネル
２０  左側面パネル
３０  右側面パネル
４０  背面パネル
５０  上面パネル
６０  前面パネル
６１  メインパネル
６２  把手部
６３  補助パネル
６４  補助パネル
６５  貫通孔
７０  回動軸
８０  蓄光シール
【図１】
2017038928.tif 000003
【図２】
2017038928.tif 000004
【図３】
2017038928.tif 000005
【図４】
2017038928.tif 000006
【図５】
2017038928.tif 000007